(57)【要約】【課題】簡単に組み立てられるとともに、箱本体の大きさをあまり大きくすることなく、筒状容器を箱本体内で箱本体の内壁面に接触しないように支持した状態で内包することができる筒状容器用箱を提供する。【解決手段】シート状材料からなる展開体を組み立てて形成され、断面多角形の筒状をしていて、筒状容器が収容可能な箱本体と、この箱本体の両開口端に、開口端縁の一辺を回動中心に回動して、箱本体の開口端を開閉自在な蓋とを備える筒状容器用箱において、前記箱本体の開口端縁の他辺を回動中心に回動自在で全体が箱本体に内蔵された状態のとき、開放端部が箱本体の内壁面に接するようになっているとともに、その中央部に設けられた孔に箱本体内で筒状容器が嵌まり込み、筒状容器が箱本体の内壁面に接しない状態に支持する容器支持片を箱本体の両開口端に備えていることを特徴としている。【選択図】　　　図１
2004010064.tif 000002
【特許請求の範囲】
【請求項１】
シート状材料からなる展開体を組み立てて形成され、
断面多角形の筒状をしていて、筒状容器が収容可能な箱本体と、
この箱本体の両開口端に、開口端縁の一辺を回動中心に回動して、箱本体の開口端を開閉自在な蓋とを備える筒状容器用箱において、
前記箱本体の開口端縁の他辺を回動中心に回動自在で全体が箱本体に内蔵された状態のとき、開放端部が箱本体の内壁面に接するようになっているとともに、その中央部に設けられた孔に箱本体内で筒状容器が嵌まり込み、筒状容器が箱本体の内壁面に接しない状態に支持する容器支持片を箱本体の両開口端に備えていることを特徴とする筒状容器用箱。
【請求項２】
箱本体の上側開口端に設けられた容器支持片が、開放端側の孔の周縁部に、回動動作の手がかりとなる操作舌片を備えている請求項１に記載の筒状容器用箱。
【発明の詳細な説明】
【０００１】
【発明の属する技術分野】
本発明は、化粧品のボトル、医薬品のアンプル等のガラス製筒状容器を収容する箱に関する。
【０００２】
【従来の技術】
化粧品のガラス製ボトル、医薬品のガラス製アンプル等のように衝撃を受けると破損しやすい筒状容器を収容する箱として、特開平８−２５２１号公報に記載されているような箱がすでに提案されている。
この箱は、紙基材を打ち抜いて形成した展開体を組み立てて形成され、断面四角形の箱本体の内部に、アンプルの下端部が嵌まり込む断面菱形をした筒状の緩衝部が設けられているとともに、箱本体の上部開口側に、箱本体の上端の一辺を軸に回動自在で、開放端部が箱本体の内壁面に接した状態で箱本体内に入り込み、その中央部に設けられた孔にアンプルの上端部が嵌まり込むことによって、アンプルが箱本体の中央に箱本体の内壁面に触れない状態で内包されるようになっている。
【０００３】
しかし、上記箱の場合、短冊状の緩衝部用片を箱本体内部で断面菱形に折り曲げることによって緩衝部が形成されるようになっているので、内包されるアンプルの外径より箱本体がかなり大きくなってしまい嵩張り、輸送コストがかかるなどの問題がある。また、箱本体の内部に上記のような緩衝部を設けなければならないので、箱の組み立てに手間がかかるという問題もある。
【０００４】
【発明が解決しようとする課題】
本発明は、上記事情に鑑みて、簡単に組み立てられるとともに、箱本体の大きさをあまり大きくすることなく、筒状容器を箱本体内で箱本体の内壁面に接触しないように支持した状態で内包することができる筒状容器用箱を提供することを目的としている。
【０００５】
【課題を解決するための手段】
上記目的を達成するために、本発明にかかる筒状容器用箱は、シート状材料からなる展開体を組み立てて形成され、断面多角形の筒状をしていて、筒状容器が収容可能な箱本体と、この箱本体の両開口端に、開口端縁の一辺を回動中心に回動して、箱本体の開口端を開閉自在な蓋とを備える筒状容器用箱において、前記箱本体の開口端縁の他辺を回動中心に回動自在で全体が箱本体に内蔵された状態のとき、開放端部が箱本体の内壁面に接するようになっているとともに、その中央部に設けられた孔に箱本体内で筒状容器が嵌まり込み、筒状容器が箱本体の内壁面に接しない状態に支持する容器支持片を箱本体の両開口端に備えていることを特徴としている。
【０００６】
本発明の筒状容器用箱は、請求項２のように、箱本体の上側開口端に設けられた容器支持片が、開放端側の孔の周縁部に、回動動作の手がかりとなる操作舌片を備えていることが好ましい。
【０００７】
また、シート状材料としては、特に限定されず、たとえば、ボール紙、コート紙、コルゲート紙、可撓性樹脂シート、紙と樹脂の積層シート等合が挙げられる。
【０００８】
【発明の実施の形態】
以下に、本発明を、その実施の形態をあらわす図面を参照しつつ詳しく説明する。
図１〜図３は、本発明にかかる筒状容器用箱の１つの実施の形態をあらわしている。
【０００９】
図１〜図３に示すように、この箱Ａは、箱本体１と、上蓋２ａと、下蓋２ｂと、上部容器支持片４と、下部容器支持片５と、上部内蓋６と、下部内蓋７，７とを備えていて、筒状容器としての化粧品のビン８を内包することができるようになっている。
箱本体１は、断面長方形をした筒状をしている。
【００１０】
上蓋２ａおよび下蓋２ｂは、箱本体１の開口端縁の１辺から延設され、箱本体１の開口を覆う大きさの長方形をした蓋本体２１がその一端を開口端縁を回動中心にして回動自在になっていて、蓋本体２１の他端に箱本体１内に嵌まり込む係止舌片２２を備えている。
上部容器支持片４は、箱本体１の開口端縁の上蓋２ａに隣接する１辺から延設され、箱本体１の開口端縁を回動中心にして回動自在で、箱本体１の断面より大きな長方形をしていて、本体部４１と、本体部４１を挟んで固定側折曲片４２と開放端側折曲片４３を備えている。
【００１１】
本体部４１は、箱本体１の断面形状より小さい四角形をしていて、その中央部にビン８の上端部であるキャップ８１の部分が嵌まり込む孔４４が穿設される。孔４４は、略キャップ間の外径に沿う形状になっていて、両折曲片４２，４３側に矩形の切欠部４４ａを備えている。また、孔４４の開放端側の端縁には、上部容器支持片４の回動動作の手がかりとなる操作舌片４５が突設されている。
【００１２】
操作舌片４５は、その先端が外側に折り曲げられ、側面視略Ｌ字形をしている。
下部容器支持片５は、箱本体１の開口端縁の下蓋２ｂに対向する１辺から延設され、箱本体１の開口端縁を回動中心にして回動自在で、箱本体１の断面より大きな長方形をしていて、本体部５１と、本体部５１を挟んで固定側折曲片５２と開放端側折曲片５３を備えている。
【００１３】
本体部５１は、箱本体１の断面形状と略同じ形状をしていて、その中央部にビン８の下端部が嵌まり込む孔５４が穿設されている。
上部内蓋６は、箱本体１の上部容器支持片４に対向する開口端縁の１辺から延設され、箱本体１の開口端縁を回動中心にして回動自在で、箱本体１の断面の略半分の大きさに形成されている。
【００１４】
下部内蓋７，７は、それぞれ箱本体１の開口端縁の下蓋２ｂに隣接する１辺から延設され、箱本体１の開口端縁を回動中心にして回動自在で、箱本体１の断面の略半分の大きさに形成されている。
【００１５】
そして、この箱Ａは、図４に示すような展開体９が組み立てられて形成されている。
すなわち、展開体９は、シート状材料としての紙製シートが、トムソン等によって打ち抜き加工されることによって得られ、図４に示すように、箱本体形成部９１、上蓋形成部９２、下蓋形成部９３、上部容器支持片形成部９４、下部容器支持片形成部９５、上部内蓋形成部９６、下部内蓋形成部９７、９７とを備えている。
【００１６】
箱本体形成部９１は、端部に糊代９１ａを備え、折曲線９８で折り曲げられて糊代９１ａ部で糊付けされることによって箱本体１に組み立てられるようになっている。
上蓋形成部９２、下蓋形成部９３、上部容器支持片形成部９４、下部容器支持片形成部９５、上部内蓋形成部９６、下部内蓋形成部９７、９７は、それぞれ折曲線９８で折り曲げられて、上蓋２ａと、下蓋２ｂと、上部容器支持片４と、下部容器支持片５と、上部内蓋６と、下部内蓋７，７を形成するようになっている。
【００１７】
この箱Ａは、以上のようになっており、上部容器支持片４の孔４４にビン８のキャップ８１部分をはめ込み、下部容器支持片５の孔５４にビン８の下端部をはめ込むことによって、ビン８を箱本体１の中央部に、ビン８の周壁が箱本体１の内壁面に触れない状態に支持できる。
したがって、箱本体１の断面形状を極力小さいものにすることができ、輸送コストを低減することができる。
【００１８】
また、上部容器支持片４に操作舌片４５が設けられているので、この操作舌片４５に指をかけて容易に上部容器支持片４を回動させることができる。しかも、操作舌片４５が側面視略Ｌ字形をしているので、指がより引っ掛かりやすく、操作性に優れている。
そして、孔４４に切欠部４４ａが設けられているので、回動時にビン８の角に孔４４の周縁部が当たることがなく、上部容器支持片４を容易に箱本体１内に装脱できる。
【００１９】
さらに、下部容器支持片５の本体部５１が箱本体１の断面と略同じ大きさであるので、箱本体１内にセットしたとき、本体部５１の四周が箱本体１の内壁面に密着状態になるので、本体部５１が箱本体１内でしっかりと位置固定される。したがって、ビン８の下端部が下部容器支持片５によって箱本体１でしっかりと支持される。
なお、下部容器支持片５の開放端側折曲部５３は箱本体１の内壁面に糊付けされていてもよい。
【００２０】
本発明は、上記の実施の形態に限定されない。たとえば、上記の実施の形態では、箱本体１が断面長方形をしていたが、６角形等でも構わない。
上記の実施の形態では、筒状容器が化粧品のビンであったが、アンプルなど他の筒状容器を内包することができる。
【００２１】
上記の実施の形態では、糊代部分を糊付けするようになっているが、ステープラー等で固定するようにしても構わない。
上記の実施の形態では、上部容器支持片が上蓋に隣接する辺に設けられていたが、上蓋に対向する辺に設けるようにしても構わない。
【００２２】
上記の実施の形態では、操作舌片４５が側面視略Ｌ字形になっていたが、直線上でも構わない。
【００２３】
【発明の効果】
本発明にかかる筒状容器用箱は、以上のように構成されているので、簡単に組み立てられるとともに、箱本体の大きさをあまり大きくすることなく、筒状容器を箱本体内で箱本体の内壁面に接触しないように支持した状態で内包することができる。すなわち、箱を小さくすることができ、保管スペースが少なくて済むとともに、輸送コストも低減できる。
また、請求項２のようにすれば、上部容器支持片の回動動作を容易に行うことができ、内包された筒状容器の出し入れを迅速に行うことができる。
【図面の簡単な説明】
【図１】本発明にかかる筒状容器用箱の１つの実施の形態であって、その化粧品のビンを入れて上蓋を開放した状態の上方から見た斜視図である。
【図２】図１の筒状容器用箱の断面図である。
【図３】図１の筒状容器用箱の下蓋を開放した状態を底面側から見た斜視図である。
【図４】図１の筒状容器用箱をための展開体の平面図である。
【符号の説明】
Ａ　箱
１　箱本体
２ａ　上蓋
２ｂ　下蓋
４　上部容器支持片
４４　孔
４５　操作舌片
５　下部容器支持片
５４　孔
６　上部内蓋
７　下部内蓋
８　ビン（筒状容器）
８１　キャップ
９　展開体
【図１】
2004010064.tif 000003
【図２】
2004010064.tif 000004
【図３】
2004010064.tif 000005
【図４】
2004010064.tif 000006